(57)【特許請求の範囲】
【請求項１】
液体吸上げ用の吸込み弁２付き起立筒３下部を、該起立筒に付設した第１外向きフランジ４を介して垂設した基筒５で囲成し、該基筒の下部に付設した第２外向きフランジ６上面へ、上端に有する内向きフランジ７を係合させて、容器体口頸部螺合用のキャップ状筒８を垂下するトリガー式の液体噴出器１と、
周壁３１上端部から上記キャップ状筒８へ螺合させた口頸部３３を起立すると共に、周壁下部へほぼ等間隔に複数の嵌合孔３６を穿設した下端面開放の容器体３０と、
上記周壁３１の下端部内面へ底壁部４１を着脱自在に、かつその底壁部の下部外周面を周壁下端外方へ露出させて嵌合させると共に、その底壁部の上面外周部または下部外周面から嵌合用突部４３を有する複数の弾性係合板４４を突設して、その嵌合用突部４３を上記周壁の嵌合孔３６へ着脱自在に嵌合させ、更に底壁部４１の上面前部から弾性軸受片４５を突設すると共に、底壁部４１の上面後部から肉薄ヒンジ４６を介して突出した固定棒４７の前端部を上記弾性軸受片４５へ着脱自在に嵌合させた底板４０と、
上記容器体３０内へ収納させた袋体５１の下端部を、上記底壁部４１上面と固定棒４７との間隙を介して該固定棒へ巻掛けた、耐水性を有し、かつ柔軟な詰替え液体収納用袋５０とからなり、
上記起立筒３の下部内から剛性の吸上げパイプ６０を容器体上部内まで垂下し、該吸上げパイプの下端部を傾斜させて鋭利に形成して、該下端部を上記袋５０の上部内へ水密に突刺した
ことを特徴とするトリガー式液体噴出容器。
【発明の詳細な説明】
【０００１】
【発明の属する技術分野】
本発明はトリガー式の液体噴出容器に関する。
【０００２】
【従来の技術】
例えば、特開平１０−２４９２５２号が示すように、容器体口頸部へ嵌合させた装着筒内から主筒を起立し、該主筒前面からシリンダを、かつ主筒上端から射出筒を、それぞれ前方突出し、又射出筒前部に枢着させて垂設したトリガーの上方後部に、上記シリンダ内へ嵌合させたプランジャ前端部を連結し、かつトリガーを前方付勢させ、トリガーの前後方向揺動で容器体内液体をシリンダ内へ吸込み、かつ該シリンダ内液体を射出筒前端から噴出可能に設けたトリガー式の液体噴出容器が知られている。
【０００３】
【発明が解決しようとする課題】
上記のようなトリガー式液体噴出容器において、容器体内液体を使い切った場合は、口頸部から装着筒を螺脱させて、主筒を容器体から取り外した後、詰替え容器の液体を口頸部から容器体内へ注入して詰替えを行う。
しかし、このような詰替えによる場合は、注意を要する注入作業に加えて、装着筒の螺脱及び螺合が必要であり多少の手間を要するため、詰替えによらないより簡便な手段が求められていた。
【０００４】
請求項１記載の発明に係るトリガー式液体噴出容器は、詰替え液体収納用袋を容器体底面から容器体内へ収納するだけで袋装着が行えるようにして、袋交換をワンタッチで可能にしようとするものである。
【０００５】
【課題を解決するための手段】
第１の手段として、液体吸上げ用の吸込み弁２付き起立筒３下部を、該起立筒に付設した第１外向きフランジ４を介して垂設した基筒５で囲成し、該基筒の下部に付設した第２外向きフランジ６上面へ、上端に有する内向きフランジ７を係合させて、容器体口頸部螺合用のキャップ状筒８を垂下するトリガー式の液体噴出器１と、
周壁３１上端部から上記キャップ状筒８へ螺合させた口頸部３３を起立すると共に、周壁下部へほぼ等間隔に複数の嵌合孔３６を穿設した下端面開放の容器体３０と、
上記周壁３１の下端部内面へ底壁部４１を着脱自在に、かつその底壁部の下部外周面を周壁下端外方へ露出させて嵌合させると共に、その底壁部の上面外周部または下部外周面から嵌合用突部４３を有する複数の弾性係合板４４を突設して、その嵌合用突部４３を上記周壁の嵌合孔３６へ着脱自在に嵌合させ、更に底壁部４１の上面前部から弾性軸受片４５を突設すると共に、底壁部４１の上面後部から肉薄ヒンジ４６を介して突出した固定棒４７の前端部を上記弾性軸受片４５へ着脱自在に嵌合させた底板４０と、
上記容器体３０内へ収納させた袋体５１の下端部を、上記底壁部４１上面と固定棒４７との間隙を介して該固定棒へ巻掛けた、耐水性を有し、かつ柔軟な詰替え液体収納用袋５０とからなり、
上記起立筒３の下部内から剛性の吸上げパイプ６０を容器体上部内まで垂下し、該吸上げパイプの下端部を傾斜させて鋭利に形成して、該下端部を上記袋５０の上部内へ水密に突刺した。
【０００６】
【発明の実施の形態】
以下、本発明に係るトリガー式液体噴出容器の実施形態を図面を参照しながら説明する。
１はトリガー式液体噴出器で、液体吸上げ用の吸込み弁２を有する起立筒３下端部を、該起立筒下端部に付設した第１外向きフランジ４を介して垂設した基筒５で囲成し、該基筒の下部外面に付設した第２外向きフランジ６上面へ、上端に有する内向きフランジ７を係合させて、容器体口頸部螺合用のキャップ状筒８を垂下する。
【０００７】
一方、起立筒３外面へ嵌合させた垂直筒９前面からシリンダ１０を、かつ起立筒３上端からノズル付き射出筒１１を、それぞれ前方突設し、シリンダ１０内へ嵌合させたプランジャ１２前端部をトリガー１３へ連結させ、トリガー１３を前後動させると、容器体内の詰替え液体収納用袋５０の液体がシリンダ１０内へ吸い込まれ、かつこのシリンダ内液体が射出筒１１前端のノズルから噴出される。
【０００８】
３０は容器体で、周壁３１上端部から肩部３２を介して口頸部３３を起立し、該口頸部外面へキャップ状筒８を螺合させている。
一方、周壁３１下端面を開放して、周壁の下端部内面を下向き段部を介して大内径部３４に、かつ下端部外面を上向き段部を介して大外径部３５に、それぞれ形成すると共に、周壁３１下端部の左右両面に三角形状の嵌合孔３６を穿設する。
【０００９】
４０は底板で、周壁３１の大内径部３４へ底壁部４１を着脱自在に嵌合させ、かつその底壁部の下面外周から把持筒４２を垂下して、該把持筒上面を周壁３１下端へ当接させている。
また、底壁部４１上面の左右両側の前後方向中間部から三角形状の嵌合用突部４３を有する弾性係合板４４を突設して、その嵌合突部４３を嵌合孔３６へ着脱自在に嵌合させる。
さらに、底壁部４１の上面前部から軸孔を有する弾性軸受片４５を突設すると共に、底壁部４１の上面後部から肉薄ヒンジ４６を介して固定棒４７を突出し、該固定棒の前端部を弾性軸受片４５の軸孔へ着脱自在に嵌合させたる。
なお、上記では弾性係合板４４を底壁部４１上面から突設するが、これに限らず把持筒４２の外周面から突設してもよい。
【００１０】
５０は詰替え液体収納用袋で、耐水性を有し、かつ柔軟な袋体５１を容器体３０内へ収納させて、その下端部を、底壁部４１上面と固定棒４７との間隙を介して該固定棒へ巻掛けている。
なお、袋体５１は、周壁３１の横断面形状とほぼ同一形状の楕円形状の底壁を有し、かつ上下長さを通常の袋よりも長くして、固定棒４７への巻掛け部を確保している。
【００１１】
６０は吸上げパイプで、起立筒３下端部内から剛性を有する細長筒を容器体３０の上方中央部内まで垂下し、かつ該細長筒の下端部を傾斜させて鋭利に形成して、該下端部を詰替え液体収納用袋５０の上方中央部内へ水密に突刺している。
【００１２】
次に本実施形態の作用について説明する。
容器体３０内へ詰替え液体収納用袋５０を収納するには、図２に示すように固定棒４７へ詰替え液体収納用袋５０の上端部を巻掛けて、固定棒前端部を弾性軸受片４５の軸孔へ係合させた後、図３に示すように底板４０を上方に向けて袋５０を容器体３０内へ収納させる。
上記の如く、吸上げパイプ６０は容器体３０の中央部に位置しているため、同パイプは袋５０の底壁中央部を突刺すことが可能である。しかも同パイプ６０は比較的短いため突刺し時に折れたり、曲がったりすることがない。
【００１３】
なお、底板４０を周壁３１内面へ嵌合させるには、両弾性係合板４４を内方へやや屈曲させて、嵌合用突部４３の左右の側面を周壁３１下端内面へ係合させた状態で底壁部４１を周壁３１内へ押し込めばよく、すると嵌合用突部４３は周壁内面沿いに下降して嵌合孔３６内へ嵌合し、同時に底壁部４１も大内径部３４内へ嵌合する。
周壁３１から底板４０を取り外すには、両嵌合用突部４３を内方へ押し込んでこれらを嵌合孔３６から離脱させた状態で底板４０を持ち上げればよい。
【００１４】
液体を噴出させるにはトリガー１３を前後方向へ揺動させればよく、すると詰替え液体収納用袋５０内の液体がシリンダ１０内へ吸い込まれ、かつ吸い込まれたシリンダ内液体は射出筒１１から噴出される。
袋５０内液体が減少すると袋５０内が負圧化して、袋が平たく薄くなるため、吸上げパイプ６０が短くても袋下部内の液体が吸込み不能になるというようなことがない。
【００１５】
【発明の効果】
請求項１記載の発明に係るトリガー式液体噴出容器は、吸上げパイプ下端部を傾斜させて、容器体内へ収納させた詰替え液体収納用袋を突刺し、かつ容器体周壁内面へ底板を着脱自在に嵌合させたので、容器体底面から袋を容器体内へ収納させるだけで袋装着が可能であり、従って、袋交換がワンタッチで行なえる。
【図面の簡単な説明】
【図１】本発明に係るトリガー式液体噴出容器の一部を示す一部断面図。
【図２】同じく、詰替え液体収納用袋の収納手順を示す説明図。
【図３】同じく、詰替え液体収納用袋の収納手順を示す説明図。
【符号の説明】
１  トリガー式液体噴出器
２  吸込み弁
３  起立筒
４  第１外向きフランジ
５  基筒
６  第２外向きフランジ
７  内向きフランジ
８  キャップ状筒
３０  容器体
３１  周壁
３２  肩部
３３  口頸部
４１  底壁部
４３  嵌合用突部
４４  弾性係合板
４５  弾性軸受片
４６  肉薄ヒンジ
４７  固定棒
５０  詰替え液体収納用袋
５１  袋体
６０  吸上げパイプ
【図１】
0003859891.tif 000002
【図２】
0003859891.tif 000003
【図３】
0003859891.tif 000004